(57)【特許請求の範囲】
【請求項１】
調理容器を載置する天板と、
前記調理容器を誘導加熱するコイルと、
部品を搭載し、前記コイルを駆動させるインバータ基板と、
前記インバータ基板の上方に配置され、前記コイルを支持するとともに、上方に押し当てボスが設けられ前記押し当てボスを介在させて前記天板に押し当てられる支持体と、
前記支持体を保持する３以上の支持ボスを有するとともに、前記インバータ基板を保持する基板支持体と、
前記支持体と前記支持ボスとの間に介在する弾性体と、
前記支持体に設けられた第１摺動規制部と、
前記支持ボスに設けられ、前記支持体下面と前記部品の天面との隙間の最小値より、前記支持体の摺動距離の方が小さくなるように、前記第１摺動規制部に当接して前記摺動距離を制限する第２摺動規制部と、を備え、
前記支持ボスには、前記第２摺動規制部である基台部上面が設けられ、
前記支持体には前記弾性体と嵌合する筒状の保持部が設けられているとともに、前記保持部には前記第１摺動規制部であるリブが前記基台部上面に向け突設されている、誘導加熱調理器。
【請求項２】
前記支持ボスには、前記基台部上面から立設され、前記保持部と嵌合する筒状リブがさらに設けられた、
請求項１記載の誘導加熱調理器。
【請求項３】
前記支持ボスには、前記基台部上面から立設され、前記保持部に対し前記コイルの中心と反対側に外周リブがさらに設けられた、
請求項１記載の誘導加熱調理器。
【請求項４】
調理容器を載置する天板と、
前記調理容器を誘導加熱するコイルと、
部品を搭載し、前記コイルを駆動させるインバータ基板と、
前記インバータ基板の上方に配置され、前記コイルを支持するとともに、上方に押し当てボスが設けられ前記押し当てボスを介在させて前記天板に押し当てられる支持体と、
前記支持体を保持する３以上の支持ボスを有するとともに、前記インバータ基板を保持する基板支持体と、
前記支持体と前記支持ボスとの間に介在する弾性体と、
前記支持体に設けられた第１摺動規制部と、
前記支持ボスに設けられ、前記支持体下面と前記部品の天面との隙間の最小値より、前記支持体の摺動距離の方が小さくなるように、前記第１摺動規制部に当接して前記摺動距離を制限する第２摺動規制部と、を備え、
前記支持体には、前記第１摺動規制部であり、かつ前記弾性体と嵌合する筒状の保持部が設けられ、
前記支持ボスには、第２摺動規制部であるリブが前記保持部の下面に向け突設されている、誘導加熱調理器。
【請求項５】
前記リブは前記天板側から見た断面が前記コイルの中心と前記支持ボスの中心とを結ぶ直線で前記支持ボスに接するように設けられ、かつ前記支持ボスに対し、前記コイルの中心と反対側に設けられている、
請求項４記載の誘導加熱調理器。
【請求項６】
前記リブは、上方からみた断面形状が点状、線状、円弧状のいずれかの形状である、
請求項５記載の誘導加熱調理器。
【請求項７】
前記リブは、筒状に設けられている、
請求項４記載の誘導加熱調理器。
【請求項８】
調理容器を載置する天板と、
前記調理容器を誘導加熱するコイルと、
部品を搭載し、前記コイルを駆動させるインバータ基板と、
前記インバータ基板の上方に配置され、前記コイルを支持するとともに、上方に押し当てボスが設けられ前記押し当てボスを介在させて前記天板に押し当てられる支持体と、
前記支持体を保持する３以上の支持ボスを有するとともに、前記インバータ基板を保持する基板支持体と、
前記支持体と前記支持ボスとの間に介在する弾性体と、
前記支持体に設けられた第１摺動規制部と、
前記支持ボスに設けられ、前記支持体下面と前記部品の天面との隙間の最小値より、前記支持体の摺動距離の方が小さくなるように、前記第１摺動規制部に当接して前記摺動距離を制限する第２摺動規制部と、を備え、
前記支持体には、前記第１摺動規制部であり、かつ前記弾性体と嵌合する筒状の保持部が設けられ、
前記支持ボスには、前記保持部と嵌合する筒状の第１リブと、前記第１リブの周囲に前記第２摺動規制部である第２リブとが設けられた、誘導加熱調理器。
【請求項９】
調理容器を載置する天板と、
前記調理容器を誘導加熱するコイルと、
部品を搭載し、前記コイルを駆動させるインバータ基板と、
前記インバータ基板の上方に配置され、前記コイルを支持するとともに、上方に押し当てボスが設けられ前記押し当てボスを介在させて前記天板に押し当てられる支持体と、
前記支持体を保持する３以上の支持ボスを有するとともに、前記インバータ基板を保持する基板支持体と、
前記支持体と前記支持ボスとの間に介在する弾性体と、
前記支持体に設けられた第１摺動規制部と、
前記支持ボスに設けられ、前記支持体下面と前記部品の天面との隙間の最小値より、前記支持体の摺動距離の方が小さくなるように、前記第１摺動規制部に当接して前記摺動距離を制限する第２摺動規制部と、を備え、
前記支持体には、前記第１摺動規制部であり、かつ前記弾性体と嵌合する筒状の保持部が設けられ、
前記支持ボスには、前記保持部に対し前記コイルの中心と反対側に外周リブが設けられ、前記外周リブより前記支持ボスの中心側に、前記第２摺動規制部であるリブが設けられた、誘導加熱調理器。
【請求項１０】
前記外周リブは、上方から見て断面が前記支持ボスの中心に対し円弧状に設けられた、
請求項９記載の誘導加熱調理器。
【請求項１１】
調理容器を載置する天板と、
前記調理容器を誘導加熱するコイルと、
部品を搭載し、前記コイルを駆動させるインバータ基板と、
前記インバータ基板の上方に配置され、前記コイルを支持するとともに、上方に押し当てボスが設けられ前記押し当てボスを介在させて前記天板に押し当てられる支持体と、
前記支持体を保持する３以上の支持ボスを有するとともに、前記インバータ基板を保持する基板支持体と、
前記支持体と前記支持ボスとの間に介在する弾性体と、
前記支持体に設けられた第１摺動規制部と、
前記支持ボスに設けられ、前記支持体下面と前記部品の天面との隙間の最小値より、前記支持体の摺動距離の方が小さくなるように、前記第１摺動規制部に当接して前記摺動距離を制限する第２摺動規制部と、を備え、
前記支持体には、前記第１摺動規制部であり、かつ前記弾性体と嵌合する筒状の保持部が設けられ、
前記支持ボスには、前記第２摺動規制部であり、少なくとも前記コイルの中心に向かい前記支持ボスの中心より内周側に、前記保持部に対し挿入されたリブが設けられた、誘導加熱調理器。
【請求項１２】
前記第１摺動規制部と前記第２摺動規制部との対向面の少なくともいずれかにクッション材が設けられた、
請求項１〜１１のいずれかに記載の誘導加熱調理器。
【発明の詳細な説明】
【技術分野】
【０００１】
本発明は、加熱コイルとインバータ基板とを有する誘導加熱調理器に関する。
【背景技術】
【０００２】
従来の誘導加熱調理器は、例えば特開平９−３１２１９５号公報に開示されている。図２は従来の誘導加熱調理器の加熱コイルとインバータ基板との構成を示している。鍋等を載置する天板１はセラミックプレート等で構成されている。天板１の下方には、鍋を誘導加熱するための磁力線を発生させるコイル２が配置されている。コイル２は支持体３上に固定されている。支持体３の下方には、コイル２に高周波電流を供給し駆動させるインバータ基板４が配設されている。インバータ基板４は基板支持体５上に保持されている。
【０００３】
基板支持体５は、支持体３を保持するための支持ボス６を複数個有している。支持ボス６の中央に形成された柱にはスプリングで構成された弾性体７が挿入されている。保持部８は、支持体３の外周部に一体に形成され下方に開口した筒状であり、弾性体７にかぶせられている。支持体３はこれらによって保持されている。また支持体３には、保持部８の上方に押し当てボス９が複数個設けられている。押し当てボス９は弾性体７に押し上げられ、天板１裏面に当たる。この構成によりコイル２と天板１とのギャップの距離は常に一定に保たれている。また支持体３の摺動距離Ａは、弾性体７の形状と付勢力とに依存し、支持体下面１０と電子部品天面部１１との隙間Ｂの最小値より小さくならないようにする必要がある。
【０００４】
このような従来の構成では、例えば梱包状態において誤って落下すると本体に衝撃が加わる。ここで、コイル２を支持する支持体３は弾性体７により保持されている。そのため、弾性体７は下方に圧縮され、支持体３も同時に下方に押し下げられ摺動する。その際、押し下げられた支持体３はインバータ基板４上に載っている電子部品天面部１１に当たるまで押し下げられる。そのため、電子部品に応力がかかり、電子部品と共にインバータ基板４も破壊される。
【０００５】
このため、従来の構成においては、支持体下面１０と電子部品天面部１１との隙間Ｂの最小値を大きくするか、弾性体７の付勢力を強くして電子部品に応力がかからないようにされている。隙間Ｂの最小値を大きくする場合には、本体内の空間に高密度に部品を実装できず製品高さが高くなり、本体のコンパクト化、薄型化の要望に対応することができない。一方、弾性体７の材質あるいは形状を変えて付勢力を大きくすると、押し当てボス９から天板１に加わる圧力が高くなる。そのため、梱包状態での製品の落下時に天板１に与えられる衝撃が大きくなり天板１が破壊される恐れが大きくなる。
【発明の開示】
【０００６】
本発明は、本体の薄型構成を実現すると同時に、落下等の衝撃においても壊れにくく信頼性の高い誘導加熱調理器を提供することを目的とする。
【０００７】
本発明の誘導加熱調理器は、調理容器を載置する天板と、コイルと、インバータ基板と、支持体と、基板支持体と弾性体とを有する。コイルは調理容器を誘導加熱する。インバータ基板は部品を搭載し、加熱コイルを駆動させる。支持体はインバータ基板上方に配置され、加熱コイルを支持する。また支持体は上方に押し当てボスが設けられこの押し当てボスを介在させて天板に押し当てられる。基板支持体は、支持体を保持する３以上の支持ボスを有するとともに、インバータ基板を保持する。弾性体は支持体と支持ボスとの間に介在する。支持体には第１摺動規制部が設けられ、支持ボスには第２摺動規制部が設けられている。支持ボスには、第２摺動規制部である基台部上面が設けられ、支持体には弾性体と嵌合する筒状の保持部が設けられているとともに、保持部には第１摺動規制部であるリブが前記基台部上面に向け突設されているか、支持体には、第１摺動規制部であり、かつ弾性体と嵌合する筒状の保持部が設けられ、支持ボスには、第２摺動規制部であるリブ
が保持部の下面に向け突設されているか、又は、支持体には、第１摺動規制部であり、かつ弾性体と嵌合する筒状の保持部が設けられ、支持ボスには、保持部と嵌合する筒状の第１リブと、第１リブの周囲に第２摺動規制部である第２リブと、が設けられる。第１摺動規制部と第２摺動規制部とは、互いに当接して、支持体下面と部品の天面との隙間の最小値より、支持体の摺動距離の方が小さくなるように制限する。これにより弾性体が圧縮され支持体が押下げられても、インバータ基板上の部品に支持体が当たらない。よって本発明の誘導加熱調理器は薄型に構成された場合に、落下等の衝撃を受けても、壊れにくく信頼性が高い。
【発明を実施するための最良の形態】
【０００８】
以下、図面を参照しながら本発明の実施の形態について説明する。なお各実施の形態において、先行する実施の形態と同様の構成をなすものには同じ符号を付して説明し、詳細な説明を省略する。
【０００９】
（実施の形態１）
図１、図２はそれぞれ、本発明の実施の形態１における誘導加熱調理器の詳細断面図と斜視図である。鍋ややかん等の調理容器を載置する天板２１は、セラミックプレート等で構成されている。天板２１の下方には、調理容器を誘導加熱するための磁力線を発生するコイル２２がその中心２２Ａと支持体２３の中心とが一致するように配置されている。コイル２２は支持体２３上に固定されている。支持体２３の下方には、コイル２２を駆動させるインバータ基板（以下、基板）２４が配設されている。すなわち、支持体２３は基板２４の上方に配置され、コイル２２を支持している。基板２４は基板支持体２５上に保持されている。基板支持体２５は支持体２３を保持するために基台部より直径の小さい柱が形成された支持ボス２６を３個有している。支持ボス２６の中央部の柱にはスプリングで構成された円柱状の弾性体２７が挿入され、支持ボス２６の上面に載置されている。弾性体２７には支持体３と一体に形成され、下方に開口した円筒状の保持部２８がかぶせられている。支持体２３はこれらの部品によって保持されている。なお、保持部２８は円筒状としているが、少なくとも弾性体２７を保持可能な程度に円筒面を一部切り欠いた筒状の形状でもよい。さらに円筒状に限定されず、多角形の筒状でもよい。
【００１０】
保持部２８の上方には押し当てボス（以下、ボス）２９が複数個設けられている。ボス２９は弾性体２７に押し上げられ、上面が天板２１裏面に当たっている。この構成によりコイル２２と天板２１とのギャップの距離は常に一定保たれている。また、保持部２８には、保持部２８側の第１摺動規制部であるリブ２８Ａが下方にある支持ボス２６の基台部上面２６Ｂに向け突設されている。支持体２３の摺動距離Ａは、リブ２８Ａ下端の端面を介して形成される支持ボス２６と保持部２８との上下の隙間である。具体的には、摺動距離Ａは、リブ２８Ａ下端の端面と、支持ボス２６側の第２摺動規制部である面との間の距離であり、支持体２３の下面３０と電子部品天面部３１との隙間Ｂの最小値より小さくなっている。ここで支持ボス２６側の摺動規制部である面とは、弾性体２７が圧縮されたときにリブ２８Ａ下端が当接する支持ボス２６の基台部の上面２６Ｂである。基板支持体２５の下部には、本体を構成している外郭３２が設けられている。
【００１１】
以上のように構成された誘導加熱調理器のコイル２２と基板２４との構成について、以下その動作、作用を説明する。
【００１２】
まず、上記構成において、梱包状態で誤って落下すると本体に衝撃が加わる。その場合、コイル２２を支持する支持体２３は弾性体２７が介在して保持されているため、弾性体２７は下方に圧縮され、支持体２３も同時に下方に押し下げられ摺動する。ここで、押し下げられた支持体２３の摺動距離Ａは、リブ２８Ａと、基台部上面２６Ｂにより、下面３０と電子部品天面部３１との隙間Ｂより小さくなるように制限される。すなわち、リブ２８Ａは保持部２８側の摺動規制部であり、基台部上面２６Ｂは支持ボス２６側の摺動規制部である。そのため、支持体２３が最下点まで押し下げられても、下面３０は基板２４上に載っている電子部品天面部３１には当たらない。よって基板２４は割れることが無く、機器も容易には壊れない。なお、ボス２６は３個に限らずそれ以上あれば同様の効果を得ることができる。
【００１３】
以上のように、本実施の形態においては、本体の薄型構成を実現した場合の落下等の衝撃においても、壊れにくく信頼性の高い機器が得られる。
【００１４】
なお、図１、図２に示すように、天板２１を光透過性の材質で構成し、支持体２３に発光体４７を載置して天板２１下面から光輪４６を示すように光を照射してもよい。コイル２２は光輪４６の内側の下方に位置するように配置されている。すなわち、光輪４６は加熱範囲４５を示している。これにより使用者は、ガスの炎を見て調理する感覚で調理容器が効率的に誘導加熱される位置、または加熱の有無を知ることができる。
【００１５】
（実施の形態２）
図４は、本発明の実施の形態２における誘導加熱調理器の詳細上面図で、図３は、図４の直線ｍと直線ｎとにおける矢印の方向から見た詳細断面図である。
【００１６】
支持ボス２６の外周部には第２摺動規制部であるリブ３３が保持部２８の下面２８に向けて突設されている。リブ３３は、天板２１側から見た断面がコイル２２の中心２２Ａと各支持ボス２６の中心２６Ａとを結ぶ直線ｍ、ｎ、ｐ上で支持ボス２６に接するように設けられていることが好ましい。リブ３３は例えば、上方から見た断面が縦２ｍｍ、横１ｍｍの矩形である。リブ３３は支持ボス２６に対し、コイル２２の中心２２Ａと反対側に設けられていることが好ましい。円筒状の保持部２８の下面３４とリブ３３の天面３５との隙間Ａは、支持体２３の下面３０と基板２４上の電子部品天面部３１との隙間の最小値Ｂより小さくなっている。これ以外の基本的な構成は実施の形態１と同様である。なお実施の形態１と同様に、保持部２８は支持体２３に設けられ弾性体２７と嵌合する。
【００１７】
以上のように構成された誘導加熱調理器の加熱コイルとインバータ基板の構成について、以下その動作、作用を説明する。梱包状態で誤って落下すると本体に衝撃が加わる。その場合に、コイル２２を支持する支持体２３は弾性体２７により保持されているため、弾性体２７は下方に圧縮され支持体２３も同時に下方に押し下げられる。ここで実施の形態１と同様に、押し下げられた支持体２３の摺動距離Ａは、下面３０と電子部品天面部３１との隙間Ｂより小さい。しかも支持ボス２６外周部にリブ３３が設けられているため、支持体２３が押し下げられても天面３５に、第１摺動規制部である保持部２８が先あたりして、電子部品天面３１には当たらない。よって、基板２４は割れることが無く、機器も容易には壊れない。なお、保持部２８は円筒状としているが、少なくとも弾性体２７を保持可能な程度に円筒面を一部切り欠いた形状でもよい。その場合、リブ３３の天面３５に当たる位置において保持部２８の下面３４が最低の位置になっている必要がある。
【００１８】
また、３つのリブ３３は、上方から見た断面がコイル２２の中心２２Ａと支持ボス２６の中心２６Ａとを結ぶ直線ｍ、ｎ、ｐ上で支持ボス２６に接する点状の形状である。そして支持ボス２６に対し中心２２Ａと反対側に設けられている。そのため、３つのリブ３３はそれぞれ、各弾性体２７を中心２２Ａの方向に規制する。よって、弾性体２７を保持する保持体２８が設けられた支持体２３の位置が意図された位置に精度良く規制される。この結果、コイル２２の中心２２Ａが正確な位置に配される。調理容器は、天板２１に印刷された加熱範囲に載置されるので、調理容器とコイル２２とのずれが少なくなる。また特に実施の形態１における図２に示すように、光輪４６が示されている場合には、天板２１表面に印刷された加熱範囲４５と発光体により描かれた加熱範囲である光輪４６とのずれを少なくするという優れた効果を奏する。なお、リブ３３の上方から見た断面の形状は、点状に限らず支持ボス２６に接する線状または円弧状の形状であってもよい。いずれの形状でも同様の効果を奏する。
【００１９】
以上のように、本実施の形態においては、本体の薄型構成を実現した場合の落下等の衝撃においても、壊れにくく信頼性の高い機器が得られる。また、支持体２３と支持体２３に配置されるコイル２２とを精度良く所定の位置に設けることができる。
【００２０】
（実施の形態３）
図５、図６はそれぞれ、本発明の実施の形態３における誘導加熱調理器の詳細断面図、基板支持体の詳細上面図である。支持ボス２６の外周部には補強リブである周回状のリブ３６が形成されている。すなわちリブ３６は第２摺動規制部である。それ以外の基本的な構成は実施の形態１と同様である。
【００２１】
以上のように構成された誘導加熱調理器の加熱コイルとインバータ基板の構成について、以下その動作、作用を説明する。梱包状態で誤って落下すると本体に衝撃が加わる。その場合に、コイル２２を支持する支持体２３は弾性体２７により保持されているため、弾性体２７は下方に圧縮され支持体２３も同時に下方に押し下げられる。ここで実施の形態１と同様に、押し下げられた支持体２３の摺動距離Ａは、下面３０と電子部品天面部３１との隙間Ｂより小さい。しかも支持ボス２６外周部には周回状のリブ３６が設けられているため、支持体２２が圧縮されてもリブ３６の天面３７に、第１摺動規制部である保持部２８下面が先あたりして、基板２４上の電子部品には当たらない。また、リブ３６が周回状であるため、落下により保持部２８が当たったとしても、リブ３６の強度が確保され、基板支持体２５の方も割れることがない。よって、機器は容易には壊れない。
【００２２】
以上のように、本実施の形態においては、本体の薄型構成を実現した場合の落下等の衝撃においても、基板２４だけでなく、基板支持体２５も壊れにくく信頼性の高い機器が得られる。
【００２３】
（実施の形態４）
図７は、本発明の実施の形態４における誘導加熱調理器の詳細断面図である。円筒状に構成された保持部２８は、支持ボス２６の外周部に設けられた筒状の第１リブであるリブ３６内に挿入されている。筒状とは、実施の形態１で示したように完全な円筒形状に限らない。リブ３６は基台部上面２６Ｂから立設されている。保持部２８の下面３４はリブ３６の天面３７より下方に位置している。リブ３６の内壁には第２リブであるリブ４０が付設され、リブ４０の上端面は、保持部２８の下端面３４と上下の隙間を形成し摺動距離Ａだけ離れている。この場合、保持部２８が第１摺動規制部、リブ４０が第２摺動規制部として機能する。
【００２４】
以上のように構成された誘導加熱調理器の加熱コイルとインバータ基板の構成について、以下その動作、作用を説明する。この構成では、支持体２３の保持部２８が周回状すなわち筒状のリブ３６内に挿入されている。そのため、実施の形態３で述べた効果に加え、支持体２３の位置はずれにくい。また梱包時に側面落下された場合でも、保持部２８とリブ３６とは機械的に嵌合されているため、ずれずに正規の位置にあり続ける。そして支持体２３は摺動距離Ａ以上に下方には移動しないので、支持体２３は基板２４に載置された電子部品天面部３１と当たることがない。以上のように、本実施の形態においては、本体の薄型構成を実現した場合の落下等の衝撃においても、基板２４だけでなく、基板支持体２５も壊れにくく信頼性の高い機器が得られる。しかもコイル２２の位置が確実に正規の位置に配置される信頼性の高い機器が得られる。
【００２５】
上記の説明では、保持部２８をリブ３６の内側に入れて嵌合させているが、逆にリブ３６を保持部２８の内側に挿入して嵌合させてもよい。そして、支持ボス２６側のリブ３６の内壁に摺動規制用のリブ４０が付設されているが、リブ４０に対応するリブを支持ボス２６側の保持部３６の外側に付設する。すなわち、リブ４０はリブ３６の周囲に設けられている。その場合も、保持部２８の下面３４はリブ３６の天面３７より下方に位置している。このように構成しても同様の効果が得られる。
【００２６】
（実施の形態５）
図９は、本発明の実施の形態５における誘導加熱調理器の詳細上面図で、図８は、図９の直線ｍと直線ｎとにおける矢印の方向から見た詳細断面図である。
【００２７】
支持ボス２６の基台部上面２６Ｂから立設された外周リブであるリブ３６Ａはそれぞれ、上方から見て断面がコイル中心２２Ａと支持ボス２６の中心２６Ａとを結ぶ直線ｍ、ｎ、ｐ上で支持ボス２６に接する円弧状の形状である。各リブ３６Ａは保持部２８に対しコイル２２の中心２２Ａと反対側に設けられている。また、各リブ３６Ａは支持体２３の外周側に設けられている。より具体的には、中心２２Ａと中心２６Ａとを結んだ直線に対して対称的に、支持ボス２６の外周部に中心２６Ａに関し約１２０°の角度幅で周回状に設けられている。この場合、中心２２Ａは支持体２３の中心位置と同位置である。これ以外の基本的な構成は実施の形態４と同様である。すなわち、保持部２８はリブ３６Ａに対し、支持ボス２６の側に挿入され、保持部２８の下面３４はリブ３６Ａの天面３７より下方に位置している。この場合、保持部２８が第１摺動規制部、リブ２６Ａより中心２６Ａ側に設けられたリブ４０が第２摺動規制部として機能する。
【００２８】
リブ３６Ａは、上方から見た断面が中心２２Ａと中心２６Ａとを結ぶ直線ｍ、ｎ、ｐ上で支持ボス２６に接する円弧状の形状であって中心２２Ａと反対側に設けられている。そのため、実施の形態４と同様の効果を奏する。例えば、支持体２３にリード線等により応力がかかったとしても、実施の形態４と同様に支持体２３の位置はずれにくく、正規の位置に精度良くあり続ける。すなわち、リブ３６Ａは、上方から見て断面が中心２６Ａについて円弧状に設けられているので、弾性体７のずれが実施の形態２の場合より少なくなる。
【００２９】
以上のように、本実施の形態においては、本体の薄型構成を実現した場合の落下等の衝撃においても、基板２４だけでなく、基板支持体２５も壊れにくく信頼性の高い機器が得られる。しかもコイル２２の位置が確実に正規の位置に配置される信頼性の高い機器が得られる。
【００３０】
上記の説明では、保持部２８をリブ３６Ａに対し支持ボス２６の中心２６Ａ側に挿入して嵌合させている。これ以外に、図１０の断面図に示すようにリブ３６Ｂを少なくともコイル２２の中心２２Ａに向かい支持ボス２６の中心２６Ａより内周側に設け、保持部２８に対しリブ３６Ｂを挿入して嵌合させてもよい。すなわちコイル２２の中心２２Ａと支持ボス２６の中心２６Ａとを結ぶ直線上で、支持ボス２６の外周に接する点状、線状または円弧状の形状のリブ３６Ｂをコイル２２の中心２２Ａと同じ側に設けてもよい。この場合、保持部２８の内底面が第１摺動規制部、リブ３６Ｂが第２摺動規制部として機能する。その場合も、保持部２８の下面３４はリブ３６Ｂの天面３７より下方に位置している。このように構成しても同様の効果が得られる。
【００３１】
また、リブ４０を設ける以外に、保持部２８に実施の形態１と同様にリブ２８Ａを設けて支持ボス２６の基台部上面２６Ｂを第２摺動規制部、リブ２８Ａを第１摺動規制部としてもよい。この構成は、実施の形態１の構成にリブ３６Ｂを追加した構成に相当する。なお、このようにリブ４０を設ける以外の構成は実施の形態４に適用してもよい。
【００３２】
（実施の形態６）
図１１は、本発明の実施の形態６における誘導加熱調理器の詳細断面図である。支持体２３の保持部２８の内部には、リブ４０の上面と、上下の隙間を形成する部分である対向面に衝撃を吸収する発泡材で構成されたクッション材３８が装着されている。リブ４０は、下方にある支持ボス２６の第２摺動規制部である。保持部２８の下面３４が第１摺動規制部である。それ以外の基本的な構成は実施の形態４と同様である。
【００３３】
以上のように構成された誘導加熱調理器が、梱包状態で誤って落下すると本体に衝撃が加わる。その場合、コイル２２を支持する支持体２３は弾性体２７により保持されているため、弾性体２７は下方に圧縮され、支持体２３も同時に下方に押し下げられる。ここで、保持部２８内部には上記のようにクッション材３８が装着されている。そのため、実施の形態４の効果に加え、支持ボス２６に当たる際の衝撃が大幅に吸収され、基板支持体２５への負担も大幅に低減される。よって、機器は容易には壊れない。
【００３４】
なお、本実施の形態では、保持部２８の内部にクッション材３８が設けられているが、支持ボス２６側の第２摺動規制部であるリブ４０上面にクッション材３８を設けてもよく、両方に設けてもよい。さらに例えば実施の形態２におけるリブ３３の天面３５や、保持部２８の下面３４に設けてもよい。実施の形態５における図１０の構造ではリブ３６Ｂの上面や保持部２８の内部のリブ３６Ｂ上面との対向面にクッション材３８を設けてもよい。このように、支持体２３が押下げられたときに当たる部位である第１摺動規制部と第２摺動規制部との対向面のいずれかにクッション材３８を設けることで衝撃が緩和される。
【００３５】
以上のように、本実施の形態においては、本体の薄型構成を実現した場合の落下等の衝撃においても、基板２４だけでなく、基板支持体２５も壊れにくく信頼性の高い機器が得られる。
【００３６】
以上、本発明の種々の実施の形態について説明したが、これらの実施の形態によって本発明が限定されるものではない。
【産業上の利用可能性】
【００３７】
本発明の誘導加熱調理器は、梱包状態において、落下等の衝撃があったとしても、加熱コイルを支持している支持体がインバータ基板上の電子部品に直接当たらない。そのため、信頼性の高い優れた機器が得られる。また、加熱コイルの位置がずれにくいため組立性が良く、安定した機器が得られる。このような誘導加熱調理器は、薄型のコンパクトな調理機器等の用途にも適用できる。
【図面の簡単な説明】
【００３８】
【図１】本発明の実施の形態１における誘導加熱調理器の詳細断面図
【図２】図１に示す誘導加熱調理器の斜視図
【図３】本発明の実施の形態２における誘導加熱調理器の詳細断面図
【図４】図３に示す誘導加熱調理器の基板支持体の詳細上面図
【図５】本発明の実施の形態３における誘導加熱調理器の詳細断面図
【図６】図５に示す誘導加熱調理器の基板支持体の詳細上面図
【図７】本発明の実施の形態４における誘導加熱調理器の詳細断面図
【図８】本発明の実施の形態５における誘導加熱調理器の詳細断面図
【図９】図８に示す誘導加熱調理器の基板支持体の詳細上面図
【図１０】本発明の実施の形態５における他の誘導加熱調理器の詳細断面図
【図１１】本発明の実施の形態６における誘導加熱調理器の詳細断面図
【図１２】従来の誘導加熱調理器の詳細断面図
【符号の説明】
【００３９】
１    天板
２    コイル
３    支持体
４    インバータ基板
５    基板支持体
６    支持ボス
７    弾性体
８    保持部
９    押し当てボス
１０    支持体下面
１１    電子部品天面部
２１    天板
２２    コイル
２２Ａ    コイルの中心
２３    支持体
２４    インバータ基板
２５    基板支持体
２６    支持ボス
２６Ａ    支持ボスの中心
２６Ｂ    支持ボスの基台部上面
２７    弾性体
２８    保持部
２８Ａ，３３，３６，３６Ａ，３６Ｂ，４０    リブ
２９    押し当てボス
３０    支持体下面
３１    電子部品天面部
３２    外郭
３４    保持部下面
３５，３７    リブ天面
３８    クッション材
４５    加熱範囲
４６    光輪
４７    発光体
【図１】
0004432970.tif 000002
【図２】
0004432970.tif 000003
【図３】
0004432970.tif 000004
【図４】
0004432970.tif 000005
【図５】
0004432970.tif 000006
【図６】
0004432970.tif 000007
【図７】
0004432970.tif 000008
【図８】
0004432970.tif 000009
【図９】
0004432970.tif 000010
【図１０】
0004432970.tif 000011
【図１１】
0004432970.tif 000012
【図１２】
0004432970.tif 000013